【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号とを、主信号と時分割で誤り訂正内符号化回路で誤り訂正内符号化し、誤り訂正内符号化されたフレーム同期信号及び制御信号を第１の変調方式で変調し、上記主信号を第２の変調方式で変調して伝送するデジタル放送信号送信装置であって、
上記フレーム内のトランスポートパケットの同期部の内、少なくとも一部をｍビットの第１のビットパターンを有する第１のビット系列と、ｍビットの第２のビットパターンを有する第２のビット系列に置き換えて、第１のビット系列、制御信号、第２のビット系列の順番で出力する置換回路と、
上記主信号に対して第１のリードソロモン符号を生成する第１のリードソロモン符号化回路と、
上記第１のリードソロモン符号化回路の出力をインターリーブするインターリーブ回路と、
上記制御信号を複数のフレーム分だけ集めた信号に対して第２のリードソロモン符号を生成する第２のリードソロモン符号化回路と、
上記置換回路と上記第２のリードソロモン符号化回路と上記インターリーブ回路の出力を時分割で誤り訂正内符号化する拘束長がｎ（ｎ＜ｍ）の誤り訂正内符号化回路と、
上記誤り訂正内符号化回路の出力を上記第１又は第２の変調方式で変調する変調回路とを有することを特徴とするデジタル放送信号送信装置。
【請求項２】
上記変調回路は、上記主信号を複数の変調方式のいずれかによって変調可能に構成されており、上記制御信号は上記主信号にかけられた変調方式を特定する情報を含むことを特徴とする請求項１記載のデジタル放送信号送信装置。
【請求項３】
トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号とを、主信号と時分割で誤り訂正内符号化回路で誤り訂正内符号化し、誤り訂正内符号化されたフレーム同期信号及び制御信号を第１の変調方式で変調し、上記主信号を第２の変調方式で変調して伝送するデジタル放送信号送信方法であって、
上記フレーム内のトランスポートパケットの同期部の内、少なくとも一部をｍビットの第１のビットパターンを有する第１のビット系列と、ｍビットの第２のビットパターンを有する第２のビット系列に置き換えて、第１のビット系列、制御信号、第２のビット系列の順番で出力する置換工程と、
上記主信号に対して第１のリードソロモン符号を生成する第１のリードソロモン符号化工程と、
上記第１のリードソロモン符号化工程の出力をインターリーブするインターリーブ工程と、
上記制御信号を複数のフレーム分だけ集めた信号に対して第２のリードソロモン符号を生成する第２のリードソロモン符号化工程と、
上記置換工程と上記第２のリードソロモン符号化工程と上記インターリーブ工程の出力を時分割で誤り訂正内符号化する拘束長がｎ（ｎ＜ｍ）の誤り訂正内符号化工程と、
上記誤り訂正内符号化工程の出力を上記第１又は第２の変調方式で変調する変調工程とを有することを特徴とするデジタル放送信号送信方法。
【請求項４】
上記変調工程は、上記主信号を複数の変調方式のいずれかによって変調し、上記制御信号は上記主信号にかけられた変調方式を特定する情報を含むことを特徴とする請求項３記載のデジタル放送信号送信方法。
【手続補正２】
【補正対象書類名】明細書
【補正対象項目名】発明の名称
【補正方法】変更
【補正の内容】
【発明の名称】デジタル放送信号送信装置及び送信方法
【手続補正３】
【補正対象書類名】明細書
【補正対象項目名】０００１
【補正方法】変更
【補正の内容】
【０００１】
本発明は、デジタル放送信号送信装置及び送信方法に関し、特に、伝送系に係る制御信号、例えばいわゆるＴＭＣＣ（Transmission Multiplexing ConfigurationControl） 信号を主信号と共に伝送するようなデジタル放送信号送信装置及び送信方法に関する。
【手続補正４】
【補正対象書類名】明細書
【補正対象項目名】００３１
【補正方法】変更
【補正の内容】
【００３１】
本発明は、このような状況に鑑みてなされたものであり、伝送路誤りに対する耐性をより高めるようにし、また、安定して、かつ、高速に、ＴＭＣＣ信号のような伝送系に係る制御信号を再生することができるようなデジタル放送信号送信装置及び送信方法の提供を目的とするものである。
【手続補正５】
【補正対象書類名】明細書
【補正対象項目名】００３２
【補正方法】変更
【補正の内容】
【００３２】
本発明に係るデジタル放送信号送信装置は、トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号とを、主信号と時分割で誤り訂正内符号化回路で誤り訂正内符号化し、誤り訂正内符号化されたフレーム同期信号及び制御信号を第１の変調方式で変調し、上記主信号を第２の変調方式で変調して伝送するデジタル放送信号送信装置であって、上記フレーム内のトランスポートパケットの同期部の内、少なくとも一部をｍビットの第１のビットパターンを有する第１のビット系列と、ｍビットの第２のビットパターンを有する第２のビット系列に置き換えて、第１のビット系列、制御信号、第２のビット系列の順番で出力する置換回路と、上記主信号に対して第１のリードソロモン符号を生成する第１のリードソロモン符号化回路と、上記第１のリードソロモン符号化回路の出力をインターリーブするインターリーブ回路と、上記制御信号を複数のフレーム分だけ集めた信号に対して第２のリードソロモン符号を生成する第２のリードソロモン符号化回路と、上記置換回路と上記第２のリードソロモン符号化回路と上記インターリーブ回路の出力を時分割で誤り訂正内符号化する拘束長がｎ（ｎ＜ｍ）の誤り訂正内符号化回路と、上記誤り訂正内符号化回路の出力を上記第１又は第２の変調方式で変調する変調回路とを有する。
また、デジタル放送信号送信方法は、トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号とを、主信号と時分割で誤り訂正内符号化回路で誤り訂正内符号化し、誤り訂正内符号化されたフレーム同期信号及び制御信号を第１の変調方式で変調し、上記主信号を第２の変調方式で変調して伝送するデジタル放送信号送信方法であって、上記フレーム内のトランスポートパケットの同期部の内、少なくとも一部をｍビットの第１のビットパターンを有する第１のビット系列と、ｍビットの第２のビットパターンを有する第２のビット系列に置き換えて、第１のビット系列、制御信号、第２のビット系列の順番で出力する置換工程と、上記主信号に対して第１のリードソロモン符号を生成する第１のリードソロモン符号化工程と、上記第１のリードソロモン符号化工程の出力をインターリーブするインターリーブ工程と、上記制御信号を複数のフレーム分だけ集めた信号に対して第２のリードソロモン符号を生成する第２のリードソロモン符号化工程と、上記置換工程と上記第２のリードソロモン符号化工程と上記インターリーブ工程の出力を時分割で誤り訂正内符号化する拘束長がｎ（ｎ＜ｍ）の誤り訂正内符号化工程と、上記誤り訂正内符号化工程の出力を上記第１又は第２の変調方式で変調する変調工程とを有する。
【手続補正６】
【補正対象書類名】明細書
【補正対象項目名】００３３
【補正方法】変更
【補正の内容】
【００３３】
本発明に係るデジタル放送信号送信装置において、変調回路は、主信号を複数の変調方式のいずれかによって変調可能に構成されており、制御信号は上記主信号にかけられた変調方式を特定する情報を含む。
【手続補正７】
【補正対象書類名】明細書
【補正対象項目名】００３４
【補正方法】変更
【補正の内容】
【００３４】
また、本発明に係るデジタル放送信号送信方法において、変調工程は、主信号を複数の変調方式のいずれかによって変調し、制御信号は主信号にかけられた変調方式を特定する情報を含む。